(57)【要約】【課題】誰でも簡単に、素早く装着、取外しでき、構成簡素で、組立て作業が簡単に、迅速に且つ確実に行えて、組立て易く、弾性スプリングの圧縮変形の負担を小さくでき、耐久性に優れ、外観上の体裁が良く、ブレスレット等に最適な環状装身具を提供する。【解決手段】複数の分割構成単体を連結した環状装身具であって、分割構成単体は、装飾筒体１と、装飾筒体１の開放端１０に夫々溶着する左右の中空小球体２と、左右の芯チェーン５と、芯チェーン５の先端部分に夫々固定する左右の止め玉６と、止め玉６と中空小球体２との間に夫々縮装する左右の弾性スプリング７とを備え、芯チェーン５を基端がわに牽引したとき、止め玉６で弾性スプリング７を圧縮し、芯チェーン５の一部を装飾筒体１内から引き出せるよう形成し、牽引力を解除したとき、弾性スプリング７の弾発力の解放で、芯チェーン５の一部を装飾筒体１内に引き戻せるように構成する。【選択図】図２
0003143022.tif 000002
【実用新案登録請求の範囲】
【請求項１】
複数の分割構成単体を略環状に連結して構成されるブレスレットやアンクレット等の環状装身具であって、前記分割構成単体は、適宜湾曲した略細長円筒状を呈する装飾筒体と、この装飾筒体の筒芯方向両端の開放端に夫々溶着される左右の中空小球体と、この左右中空小球体に夫々穿設した貫通小孔に夫々摺動自在に挿通される左右の芯チェーンと、装飾筒体内を移動自在に内装されると共に、左右の芯チェーンの先端部分に夫々固定される左右の止め玉と、左右の芯チェーンの先端がわ部分に夫々外装されると共に、装飾筒体の左右端部がわに夫々内装され、しかも、止め玉と中空小球体との間に夫々縮装される左右の弾性スプリングとを備え、装飾筒体に対して左右の芯チェーンを夫々基端がわに牽引したときに、止め玉が装飾筒体内を開放端がわに移動して弾性スプリングを圧縮し、芯チェーンの一部を装飾筒体内から引き出せるように形成すると共に、前記牽引力を解除したときに、弾性スプリングの弾発力が解放されて、芯チェーンの一部を装飾筒体内に引き戻せるように構成したことを特徴とする環状装身具。
【請求項２】
複数の分割構成単体を略環状に連結して構成されるブレスレットやアンクレット等の環状装身具であって、前記分割構成単体は、適宜湾曲した略細長円筒状を呈する装飾筒体と、この装飾筒体の筒芯方向両端の開放端に夫々溶着される左右の中空小球体と、この左右中空小球体に夫々穿設した貫通小孔に夫々摺動自在に挿通される左右の芯チェーンと、装飾筒体内を移動自在に内装されると共に、左右の芯チェーンの先端部分に夫々固定される左右の止め玉と、左右の芯チェーンの先端がわ部分に夫々外装されると共に、装飾筒体の左右端部がわに夫々内装され、しかも、止め玉と中空小球体との間に夫々縮装される左右の弾性スプリングと、左右の芯チェーンの基端がわ部分に夫々外装されると共に、中空小球体より大径となる左右の装飾中空大球体と、左右の芯チェーンの基端がわ部分に夫々外装されると共に、中空小球体と略同径となる左右の装飾中空小球体と、左右の芯チェーンの基端部分が装着される略小環状の連結リングとを備え、装飾筒体に対して左右の芯チェーンを夫々基端がわに牽引したときに、止め玉が装飾筒体内を開放端がわに移動して弾性スプリングを圧縮し、芯チェーンの一部を装飾筒体内から引き出せるように形成すると共に、前記牽引力を解除したときに、弾性スプリングの弾発力が解放されて、芯チェーンの一部を装飾筒体内に引き戻せるように構成したことを特徴とする環状装身具。
【考案の詳細な説明】
【技術分野】
【０００１】
本考案は、主に、ブレスレットやアンクレットの如き環状装身具に係り、特に、誰でも簡単に且つ素早く装着したり或いは取外したりでき、しかも、構成が比較的簡素で、組立て易く、耐久性に優れ、外観上の体裁も良くなるように工夫した環状装身具に関するものである。
【背景技術】
【０００２】
従来、この種のブレスレット等にあっては、種々のものが提供されている。
例えば、一般的に提供されているものとしては、適宜ブレスレット本体の両端部分に適宜一対の止め具を固定し、この一対の止め具相互を連結・分離することにより、その装着、取外しが行えるように構成されたものがある（例えば、特許文献１参照）。
また、その装着、取外しが簡単に行えるように形成したものとして、例えば、特許文献２に示すような装身具が提案されている。これは、連結孔を設けた複数の装飾部材を、伸縮性のある紐を通して連結したものである。
【０００３】
【特許文献１】実用新案登録第３０６２４８１号公報
【特許文献２】実開平６−６２８１０号公報
【考案の開示】
【考案が解決しようとする課題】
【０００４】
ところが、前者の如きブレスレットにあっては、一対の止め具がかなり小さく構成されており、その連結・分離操作が行い難い難点があった。しかも、この一対の止め具が外部に露出しているものは、外観上の体裁が悪くなる難点もあった。
【０００５】
また、後者の如き装身具にあっては、伸縮性のある紐の耐久性が低い難点や、ブレスレットが伸びた状態にあるとき、紐が複数の装飾部材の間から露出してしまい、外観上の体裁が悪い難点もあった。
【課題を解決するための手段】
【０００６】
しかして、本考案は前述の如き難点等を解消できるようにすべく案出されたもので、請求項１記載の環状装身具にあっては、複数の分割構成単体を略環状に連結して構成されるブレスレットやアンクレット等の環状装身具であって、前記分割構成単体は、適宜湾曲した略細長円筒状を呈する装飾筒体１と、この装飾筒体１の筒芯方向両端の開放端１０に夫々溶着される左右の中空小球体２と、この左右中空小球体２に夫々穿設した貫通小孔１１に夫々摺動自在に挿通される左右の芯チェーン５と、装飾筒体１内を移動自在に内装されると共に、左右の芯チェーン５の先端部分に夫々固定される左右の止め玉６と、左右の芯チェーン５の先端がわ部分に夫々外装されると共に、装飾筒体１の左右端部がわに夫々内装され、しかも、止め玉６と中空小球体２との間に夫々縮装される左右の弾性スプリング７とを備え、装飾筒体１に対して左右の芯チェーン５を夫々基端がわに牽引したときに、止め玉６が装飾筒体１内を開放端１０がわに移動して弾性スプリング７を圧縮し、芯チェーン５の一部を装飾筒体１内から引き出せるように形成すると共に、前記牽引力を解除したときに、弾性スプリング７の弾発力が解放されて、芯チェーン５の一部を装飾筒体１内に引き戻せるように構成する手段を採用した。
【０００７】
また、請求項２記載の環状装身具にあっては、複数の分割構成単体を略環状に連結して構成されるブレスレットやアンクレット等の環状装身具であって、前記分割構成単体は、適宜湾曲した略細長円筒状を呈する装飾筒体１と、この装飾筒体１の筒芯方向両端の開放端１０に夫々溶着される左右の中空小球体２と、この左右中空小球体２に夫々穿設した貫通小孔１１に夫々摺動自在に挿通される左右の芯チェーン５と、装飾筒体１内を移動自在に内装されると共に、左右の芯チェーン５の先端部分に夫々固定される左右の止め玉６と、左右の芯チェーン５の先端がわ部分に夫々外装されると共に、装飾筒体１の左右端部がわに夫々内装され、しかも、止め玉６と中空小球体２との間に夫々縮装される左右の弾性スプリング７と、左右の芯チェーン５の基端がわ部分に夫々外装されると共に、中空小球体２より大径となる左右の装飾中空大球体３と、左右の芯チェーン５の基端がわ部分に夫々外装されると共に、中空小球体２と略同径となる左右の装飾中空小球体４と、左右の芯チェーン５の基端部分が装着される略小環状の連結リング８とを備え、装飾筒体１に対して左右の芯チェーン５を夫々基端がわに牽引したときに、止め玉６が装飾筒体１内を開放端１０がわに移動して弾性スプリング７を圧縮し、芯チェーン５の一部を装飾筒体１内から引き出せるように形成すると共に、前記牽引力を解除したときに、弾性スプリング７の弾発力が解放されて、芯チェーン５の一部を装飾筒体１内に引き戻せるように構成する手段を採用した。
【考案の効果】
【０００８】
従って、請求項１記載の環状装身具によれば、環状装身具自体を大きく拡径せしめるように力を加えるだけで、複数の分割構成単体に於いて、装飾筒体１内に収容されている左右の芯チェーン５の一部を、弾性スプリング７の弾発力に抗して装飾筒体１外に夫々引き出せるようになり、環状装身具自身をスムーズに且つ大きく伸ばすようにすることができ、例えば、手首より太い手の部分を無理なく容易に通過せしめられるようになる。
しかも、環状装身具自体を大きく拡径せしめるように加えている力を解除するだけで、複数の分割構成単体に於いて、装飾筒体１から引き出されていた左右の芯チェーン５の一部を、弾性スプリング７の弾発力によって装飾筒体１内に夫々引き戻せるようになり、環状装身具自身をスムーズに元の長さに戻すことができ、手首等に容易に且つ安定的に装着できるようになる。
すなわち、環状装身具自体の伸縮率を大きく形成することが可能となり、環状装身具を誰でも簡単に且つ素早く装着したり或いは取外したりできるようになる。
加えて、その構成が比較的簡素となり、組立て易く、耐久性に優れ、外観上の体裁も良く、ブレスレットやアンクレット等に最適な環状装身具となる。
【０００９】
特に、分割構成単体は、適宜湾曲した略細長円筒状を呈する装飾筒体１と、この装飾筒体１の筒芯方向両端の開放端１０に夫々溶着される左右の中空小球体２と、この左右中空小球体２に夫々穿設した貫通小孔１１に夫々摺動自在に挿通される左右の芯チェーン５と、装飾筒体１内を移動自在に内装されると共に、左右の芯チェーン５の先端部分に夫々固定される左右の止め玉６と、左右の芯チェーン５の先端がわ部分に夫々外装されると共に、装飾筒体１の左右端部がわに夫々内装され、しかも、止め玉６と中空小球体２との間に夫々縮装される左右の弾性スプリング７とを備えているので、中空小球体２の貫通小孔１１と弾性スプリング７に芯チェーン５を挿通してから、芯チェーン５の先端部分に止め玉６を固定しておき、止め玉６及び弾性スプリング７を装飾筒体１内に収容し、その後、中空小球体２を装飾筒体１の開放端１０に溶着するだけで、止め玉６及び弾性スプリング７を装飾筒体１内に確実に配置できるようになり、環状装身具自体の組立て作業がより簡単に、迅速に且つ確実に行えるようになる。
しかも、中空小球体２によって装飾筒体１の端部の処理が綺麗に行えるようになり、外観上の体裁がより良いものとなる。
また、装飾筒体１は適宜湾曲しているので、手首等に馴染み易いものとなる。
【００１０】
そして、装飾筒体１の両端に左右の弾性スプリング７を内装した分割構成単体を、複数連結することにより環状装身具が構成されるので、一つの弾性スプリング７に於ける圧縮変形量が少なくなるように設定しても、環状装身具全体での伸び総量を大きくすることが可能となる。ひいては、一つの弾性スプリング７に於ける圧縮変形の負担を小さくするように設定でき、弾性スプリング７の変形（永久的な変形）や劣化（弾性力の低下等）を低減できるようになり、その耐久性を上げることができるようになる。
【００１１】
また、請求項２記載の環状装身具によれば、環状装身具自体を大きく拡径せしめるように力を加えるだけで、複数の分割構成単体に於いて、装飾筒体１内に収容されている左右の芯チェーン５の一部を、弾性スプリング７の弾発力に抗して装飾筒体１外に夫々引き出せるようになり、環状装身具自身をスムーズに且つ大きく伸ばすようにすることができ、例えば、手首より太い手の部分を無理なく容易に通過せしめられるようになる。
しかも、環状装身具自体を大きく拡径せしめるように加えている力を解除するだけで、複数の分割構成単体に於いて、装飾筒体１から引き出されていた左右の芯チェーン５の一部を、弾性スプリング７の弾発力によって装飾筒体１内に夫々引き戻せるようになり、環状装身具自身をスムーズに元の長さに戻すことができ、手首等に容易に且つ安定的に装着できるようになる。
すなわち、環状装身具自体の伸縮率を大きく形成することが可能となり、環状装身具を誰でも簡単に且つ素早く装着したり或いは取外したりできるようになる。
加えて、その構成が比較的簡素となり、組立て易く、耐久性に優れ、外観上の体裁も良く、ブレスレットやアンクレット等に最適な環状装身具となる。
【００１２】
特に、分割構成単体は、適宜湾曲した略細長円筒状を呈する装飾筒体１と、この装飾筒体１の筒芯方向両端の開放端１０に夫々溶着される左右の中空小球体２と、この左右中空小球体２に夫々穿設した貫通小孔１１に夫々摺動自在に挿通される左右の芯チェーン５と、装飾筒体１内を移動自在に内装されると共に、左右の芯チェーン５の先端部分に夫々固定される左右の止め玉６と、左右の芯チェーン５の先端がわ部分に夫々外装されると共に、装飾筒体１の左右端部がわに夫々内装され、しかも、止め玉６と中空小球体２との間に夫々縮装される左右の弾性スプリング７と、左右の芯チェーン５の基端がわ部分に夫々外装されると共に、中空小球体２より大径となる左右の装飾中空大球体３と、左右の芯チェーン５の基端がわ部分に夫々外装されると共に、中空小球体２と略同径となる左右の装飾中空小球体４と、左右の芯チェーン５の基端部分が装着される略小環状の連結リング８とを備えているので、中空小球体２の貫通小孔１１と弾性スプリング７に芯チェーン５を挿通してから、芯チェーン５の先端部分に止め玉６を固定しておき、更に、装飾中空大球体３と装飾中空小球体４に芯チェーン５を相通してから、芯チェーン５の基端部分に連結リング８を装着しておき、止め玉６及び弾性スプリング７を装飾筒体１内に収容し、その後、中空小球体２を装飾筒体１の開放端１０に溶着するだけで、止め玉６及び弾性スプリング７を装飾筒体１内に確実に配置した状態の分割構成単体を組立てられるようになり、環状装身具自体の組立て作業がより簡単に、迅速に且つ確実に行えるようになる。
しかも、中空小球体２によって装飾筒体１の端部の処理が綺麗に行えるようになり、外観上の体裁がより良いものとなる。
また、装飾筒体１は適宜湾曲しているので、手首等に馴染み易いものとなる。
更に、装飾中空大球体３と装飾中空小球体４とによって、環状装身具自体がより豪華となり、大きな装飾中空大球体３がアクセントとなって、その外観上の体裁もより良いものとなる。
【００１３】
そして、装飾筒体１の両端に左右の弾性スプリング７を内装した分割構成単体を、複数連結することにより環状装身具が構成されるので、一つの弾性スプリング７に於ける圧縮変形量が少なくなるように設定しても、環状装身具全体での伸び総量を大きくすることが可能となる。ひいては、一つの弾性スプリング７に於ける圧縮変形の負担を小さくするように設定でき、弾性スプリング７の変形（永久的な変形）や劣化（弾性力の低下等）を低減できるようになり、その耐久性を上げることができるようになる。
【考案を実施するための最良の形態】
【００１４】
以下、本考案を図示例に基づいて説明すると、次の通りである。
本考案は、複数の分割構成単体を略環状に連結して構成されるブレスレットやアンクレット等の環状装身具である。
具体的には、前記分割構成単体は、適宜湾曲した略細長円筒状を呈する装飾筒体１と、この装飾筒体１の筒芯方向両端の開放端１０に夫々溶着される左右の中空小球体２と、この左右中空小球体２に夫々穿設した貫通小孔１１に夫々摺動自在に挿通される左右の芯チェーン５と、装飾筒体１内を移動自在に内装されると共に、左右の芯チェーン５の先端部分に夫々固定される左右の止め玉６と、左右の芯チェーン５の先端がわ部分に夫々外装されると共に、装飾筒体１の左右端部がわに夫々内装され、しかも、止め玉６と中空小球体２との間に夫々縮装される左右の弾性スプリング７とを備えたものである。
更に、前記分割構成単体には、左右の芯チェーン５の基端がわ部分に夫々外装されると共に、中空小球体２より大径となる左右の装飾中空大球体３と、左右の芯チェーン５の基端がわ部分に夫々外装されると共に、中空小球体２と略同径となる左右の装飾中空小球体４と、左右の芯チェーン５の基端部分が装着される略小環状の連結リング８とを設けることもできる。
それから、装飾筒体１に対して左右の芯チェーン５を夫々基端がわに牽引したときに、止め玉６が装飾筒体１内を開放端１０がわに移動して弾性スプリング７を圧縮し、芯チェーン５の一部を装飾筒体１内から引き出せるように形成すると共に、前記牽引力を解除したときに、弾性スプリング７の弾発力が解放されて、芯チェーン５の一部を装飾筒体１内に引き戻せるように構成されている。
すなわち、環状装身具自体を大きく拡径せしめるように力を加えるだけで、複数の分割構成単体に於いて、装飾筒体１内に収容されている左右の芯チェーン５の一部を、弾性スプリング７の弾発力に抗して装飾筒体１外に夫々引き出せるようになり、環状装身具自身をスムーズに且つ大きく伸ばすようにすることができ、例えば、手首より太い手の部分を無理なく容易に通過せしめられるように構成されたものである。しかも、環状装身具自体を大きく拡径せしめるように加えている力を解除するだけで、複数の分割構成単体に於いて、装飾筒体１から引き出されていた左右の芯チェーン５の一部を、弾性スプリング７の弾発力によって装飾筒体１内に夫々引き戻せるようになり、環状装身具自身をスムーズに元の長さに戻すことができ、手首等に容易に且つ安定的に装着できるように構成されている。
【実施例】
【００１５】
本考案の環状装身具は、例えば、貴金属製の適宜分割構成単体を形成する。そして、複数（例えば、五個）の分割構成単体を、その両端相互を適宜連結して略環状となるように形成されたもので、ブレスレットやアンクレット（或いは、ネックレス）等として利用できるようにしたものである。
【００１６】
前記分割構成単体は、例えば、装飾筒体１と、左右の中空小球体２と、左右の芯チェーン５と、左右の止め玉６と、左右の弾性スプリング７とを少なくとも備え、図示例では、更に、左右の装飾中空大球体３と、左右の装飾中空小球体４と、左右の連結リング８とを備えたものとなっている。
【００１７】
前記装飾筒体１は、例えば、プラチナ等の貴金属（或いは、プラチナメッキされた金属）によって適宜緩やかに湾曲した略細長円筒状に形成されており、その筒芯方向両端部分は開放端１０となっている。しかも、装飾筒体１の外周表面には適宜装飾模様が刻設されている。
【００１８】
前記中空小球体２は、例えば、金等の貴金属（或いは、金メッキされた金属）によって略中空球形状に形成されており、しかも、その外径は、装飾筒体１の外径と略同程度となるように形成されている。更に、中空小球体２の所定位置には、芯チェーン５が挿通可能となるような一対の貫通小孔１１が穿設されている。そして、中空小球体２は、その貫通小孔１１と装飾筒体１の筒芯とが一致するように、装飾筒体１の開放端１０に溶着（ロウ付け）されるようになる。
【００１９】
前記装飾中空大球体３は、例えば、金等の貴金属（或いは、金メッキされた金属）によって略中空球形状に形成されており、しかも、その外径は、装飾筒体１の外径よりかなり大きく（例えば、約２倍弱）なるように形成されている。更に、装飾中空大球体３の所定位置には、芯チェーン５が挿通可能となると共に、中空小球体２の外径より稍小さな一対の貫通大孔１２が穿設されている。更に、装飾中空大球体３の外表面には適宜装飾模様が刻設されている。
そして、装飾中空大球体３は、中空小球体２に隣設するように配されると共に、その貫通大孔１２で中空小球体２に安定的に当接できるように形成されている。
【００２０】
前記装飾中空小球体４は、例えば、金等の貴金属（或いは、金メッキされた金属）によって略中空球形状に形成されており、しかも、その外径は、装飾筒体１（中空小球体２）の外径と同程度となるように形成されている。更に、装飾中空大球体３の所定位置には、芯チェーン５が挿通可能となる一対の貫通小孔１３が穿設されている。更に、装飾中空小球体４の外表面には適宜装飾模様（例えば、複数の小さな平坦面でカットしたような模様）が形成されている。
そして、装飾中空小球体４は、装飾中空大球体３に隣設して、中空小球体２とで装飾中空大球体３を挟むような位置に配されている。しかも、装飾中空小球体４は、装飾中空大球体３の貫通大孔１２に安定的に当接できるように形成されている。
【００２１】
前記芯チェーン５は、例えば、金等の貴金属（或いは、金メッキされた金属）によって適宜鎖状に形成されている。尚、この芯チェーン５は、ある程度の引張り強さ等を備えたものが利用され、簡単に破断することがないようなものが採用される。
【００２２】
前記止め玉６は、例えば、適宜材料によって略球形状に形成され、装飾筒体１内をスムーズに移動できるように形成されると共に、芯チェーン５の先端部分に確実に且つ簡単に固定できるように形成されている。
【００２３】
前記弾性スプリング７は、例えば、コイルスプリング状に形成されており、芯チェーン５の先端がわ部分に外装されると共に、装飾筒体１の左右端部がわに夫々内装され、しかも、止め玉６と中空小球体２との間に夫々縮装されて、止め玉６が中空小球体２から離れて、芯チェーン５を装飾筒体１内に常時引き込む向きにその弾発力を付勢できるように形成されている。
【００２４】
前記連結リング８は、例えば、金等の貴金属（或いは、金メッキされた金属）によって中空小球体２や装飾中空小球体４の外径と同程度の外径を有する略小環状に形成されており、この連結リング８は、芯チェーン５の基端部分に取付けられている。尚、この連結リング８は、隣設する分割構成単体に於いて、共用するように形成してあるが、分割構成単体毎に二つ（左右）の連結リング８を設けても良い。
【００２５】
図中９は、例えば、隣設する分割構成単体の連結リング８相互を連結する略楕円板状の連結プレートで、この連結プレート９は、金等の貴金属（或いは、金メッキされた金属）によって形成され、その表面に、環状装身具の材質や適宜マーク等が刻設されている。
【００２６】
ところで、環状装身具の具体的構成、形状、寸法、材質、分割構成単体の具体的構成、形状、寸法、材質、数、配列状態、装飾筒体１の具体的構成、形状、寸法、材質、中空小球体２の具体的構成、形状、寸法、材質、装飾中空大球体３の具体的構成、形状、寸法、材質、装飾中空小球体４の具体的構成、形状、寸法、材質、芯チェーン５の具体的構成、形状、寸法、材質、止め玉６の具体的構成、形状、寸法、材質、弾性スプリング７の具体的構成、形状、寸法、材質、連結リング８の具体的構成、形状、寸法、材質、数、配設位置、連結プレート９の具体的構成、形状、寸法、材質、数、配設位置、開放端１０の具体的構成、形状、寸法、貫通小孔１１の具体的構成、形状、寸法、配設位置、貫通大孔１２の具体的構成、形状、寸法、配設位置、貫通小孔１３の具体的構成、形状、寸法、配設位置等は図示例のもの等に限定されることなく適宜自由に設定、変更できるものである。
【００２７】
本考案の環状装身具は、前述の如く構成されており、次にその製造例について説明すると、先ず、芯チェーン５を、弾性スプリング７と中空小球体２と装飾中空大球体３と装飾中空小球体４とに貫通させ、芯チェーン５の先端部分に止め玉６を固定すると共に、芯チェーン５の基端部分に連結リング８を装着して、これらを分離不能な連設状態となる連設部材を形成する。
そして、この連設部材の止め玉６と弾性スプリング７を、左右の開放端１０から装飾筒体１内に夫々収容させる。
その後、中空小球体２を開放端１０に溶着（ロウ付け）することにより、分割構成単体が形成される。
それから、複数の分割構成単体を略環状に連結して環状装身具が構成される。このとき、連結リング８は、隣設する分割構成単体で共用しても良いし、連結プレート９やその他の部材を介して連結しても良い。
【００２８】
更に、本考案の環状装身具の使用例について説明すると、先ず、環状装身具自体を大きく拡径せしめるように力を加えると、複数の分割構成単体に於いて、装飾筒体１内に収容されている左右の芯チェーン５の一部が、弾性スプリング７の弾発力に抗して装飾筒体１外に夫々引き出されるようになり、環状装身具自身がスムーズに且つ大きく伸びるようになる。
そして、手首より太い手の部分を無理なく通過させ、手首の部分に到達したときに、環状装身具自体を大きく拡径せしめるように加えている力を解除する。すると、複数の分割構成単体に於いて、装飾筒体１から引き出されていた左右の芯チェーン５の一部が、弾性スプリング７の弾発力によって装飾筒体１内に夫々引き戻され、環状装身具自身がスムーズに元の長さに戻って、手首に安定的に装着されるようになる。
【図面の簡単な説明】
【００２９】
【図１】本考案の環状装身具を例示する平面図である。
【図２】本考案の環状装身具を例示する一部切欠部分平面図である。
【図３】本考案の環状装身具を例示する一部切欠部分平面図である。
【符号の説明】
【００３０】
１    装飾筒体
２    中空小球体
３    装飾中空大球体
４    装飾中空小球体
５    芯チェーン
６    止め玉
７    弾性スプリング
８    連結リング
９    連結プレート
１０  開放端
１１  貫通小孔
１２  貫通大孔
１３  貫通小孔
【図１】
0003143022.tif 000003
【図２】
0003143022.tif 000004
【図３】
0003143022.tif 000005